(57)【要約】【課題】  縦向きに配置された基板の一次側の電源回路部に水掛試験時等に大量の水分がかからないようにするために、割り基板からなるガイド基板を用いて水分が一次側の電源回路に水分が浸入することを防止でき、別パーツを作る必要がなくてコストダウンを図ることができる基板における一次側の電源回路部への水分侵入防止構造を提供する。【解決手段】  縦向きに配置された基板４の下部に設けられた一次側の電源回路部５に水掛試験等によって水分が侵入しないようにしたもので、基板４の一次側の電源回路部５と二次側の制御回路部６間に互いに一端側が互いに近接する左右２枚の割り基板からなるガイド基板７、７が、それぞれ斜め下向きに取り付けられており、基板４の表面を流れて一次側の電源回路部５に侵入しようとする水分が、２枚の割り基板からなるガイド基板７、７によって、基板４の外側に流れ出るように構成した。【選択図】  図２
2009135639.tif 000002
【特許請求の範囲】
【請求項１】
液晶テレビジョン内に縦向きに配置された基板の下部に設けられた一次側の電源回路部に水掛試験等によって水分が侵入しないようにした基板における一次側の電源回路部への水分侵入防止構造において、前記基板の一次側の電源回路部と二次側の制御回路部間に互いに一端側が互いに近接する左右２枚の割り基板からなるガイド基板が、それぞれ斜め下向きに取り付けられており、前記基板の表面を流れて一次側の電源回路部に侵入しようとする水分が、前記２枚の割り基板からなるガイド基板によって、前記基板の外側に流れ出るように構成したことを特徴とする基板における一次側の電源回路への水分侵入防止構造。
【請求項２】
前記割り基板からなるガイド基板は、一端に突片が設けられてこの突片の先端に係止爪が形成されていて、前記基板に形成された孔部に前記割り基板からなるガイド基板の突片の係止爪が係入され、前記割り基板からなるガイド基板と前記基板とが接触する部分は半田付けで固定されている請求項１に記載の基板における一次側の電源回路への水分侵入防止構造。
【請求項３】
前記割り基板からなるガイド基板は、両端に突片が設けられてこれらの突片の先端に係止爪が形成されていて、前記基板に形成された孔部に前記割り基板からなるガイド基板の両端の突片の係止爪が係入されることにより、前記基板に前記２枚の割り基板からなるガイド基板が取り付け固定されている請求項１に記載の基板における一次側の電源回路への水分侵入防止構造。
【発明の詳細な説明】
【技術分野】
【０００１】
本発明は、液晶テレビジョン内に縦向きに配置された基板の下部に設けられた一次側の電源回路部に水掛試験等によって水分が侵入しないようにした基板における一次側の電源回路部への水分侵入防止構造に関するものである。
【背景技術】
【０００２】
従来、図４に示すように、液晶テレビジョン１０１のフロントパネル１０２とリヤパネル１０３内に基板１０４が縦向きに配置され、この基板１０４には上側の二次側の制御回路部１０５と下側の一次側の電源回路部１０６とが設けられ、この基板１０４には水掛試験等のときに、一次側の電源回路部１０６に水分が浸入しないように、基板１０４とは別パーツを用いていた。このために、コスト高になるという問題があった。
【０００３】
第１の従来技術を図５に示す。この従来のプリント基板の試験用パターンは、図５に示すように、捨て基板部１０２、１０３の表層にラウンドパターン１１２を設け、このラウンドパターン１１２を本体基板部１０４及び捨て基板部１０２、１０３に設けた内層パターン１１０によって本体基板部１０４の所定のチェックポイントに電気的に接続し、またマイコン１１８の特定端子間を本体基板部１０４及び捨て基板部１０３に設けた内層パターン１１９によってショートしたことを特徴とする。（例えば、特許文献１参照）。
【０００４】
ところが、これにおいては、電源回路部に水分が浸入しないようにするための水はけ対策が施されてないので、水掛試験時等のときに電源回路部が水分に濡れてしまうという問題があった。
【特許文献１】特開平９−６１４９４号公報
【発明の開示】
【発明が解決しようとする課題】
【０００５】
本発明は、上記従来の問題に鑑みてなされたものであって、液晶テレビジョン内に縦向きに配置された基板の一次側の電源回路部に水掛試験時等に大量の水分がかからないようにするために、割り基板からなるガイド基板を用いて一次側の電源回路部に水分が浸入することを防止することができ、別パーツを作る必要がなくてコストダウンを図ることができる基板における一次側の電源回路部への水分侵入防止構造を提供することを目的としている。
【課題を解決するための手段】
【０００６】
本発明は、上記課題を解決するために提案されたものであって、請求項１に記載の発明は、液晶テレビジョン内に縦向きに配置された基板の下部に設けられた一次側の電源回路部に水掛試験等によって水分が侵入しないようにした基板における一次側の電源回路部への水分侵入防止構造において、前記基板の一次側の電源回路部と二次側の制御回路部間に互いに一端側が互いに近接する左右２枚の割り基板からなるガイド基板が、それぞれ斜め下向きに取り付けられており、前記基板の表面を流れて一次側の電源回路部に侵入しようとする水分が、前記２枚の割り基板からなるガイド基板によって、前記基板の外側に流れ出るように構成したことを特徴としている。
【０００７】
請求項２に記載の発明は、請求項１に記載の発明において、前記割り基板からなるガイド基板は、一端に突片が設けられてこの突片の先端に係止爪が形成されていて、前記基板に形成された孔部に前記割り基板からなるガイド基板の突片の係止爪が係入され、前記割り基板からなるガイド基板と前記基板とが接触する部分は半田付けで固定されている。
【０００８】
請求項３に記載の発明は、請求項１に記載の発明において、前記割り基板からなるガイド基板は、両端に突片が設けられてこれらの突片の先端に係止爪が形成されていて、前記基板に形成された孔部に前記割り基板からなるガイド基板の両端の突片の係止爪が係入されることにより、前記基板に前記２枚の割り基板からなるガイド基板が取り付け固定されている。
【発明の効果】
【０００９】
請求項１に記載の発明によれば、基板に設けられた一次側の電源回路部と二次側の制御回路部間に互いに一端側が互いに近接する左右２枚の割り基板からなるガイド基板がそれぞれ斜め下向きに取り付けられているから、水掛試験時等に大量の水分がこれらの割り基板からなるガイド基板に沿って基板の外側に流れ出ることにより、一次側の電源回路部に水分が浸入することを防ぐことができる。更に、割り基板からなるガイド基板を用いているので、別パーツを作る必要がなくてコストダウンを図ることができる。
【００１０】
請求項２に記載の発明によれば、割り基板からなるガイド基板は、一端に突片が設けられてこの突片の先端に係止爪が形成されていて、基板に形成された孔部に割り基板からなるガイド基板の突片の係止爪が係入され、割り基板からなるガイド基板と基板とが接触する部分は半田付けで固定されているから、基板に割り基板からなるガイド基板を強固に取り付け固定することができる。
【００１１】
請求項３に記載の発明によれば、割り基板からなるガイド基板は、両端に突片が設けられてこれらの突片の先端に係止爪が形成されていて、基板に形成された孔部に割り基板からなるガイド基板の両端の突片の係止爪が係入されることにより、基板に２枚の割り基板からなるガイド基板が取り付け固定されているから、割り基板からなるガイド基板を基板に半田付けする必要がなく、半田付けする手間を省くことができ、取り付け作業を簡単に行うことができる。また、割り基板からなるガイド基板の両端の突片の係止爪を基板の孔部に係入するだけでよいので、取り付け作業をより一層簡単に行うことができると共に割り基板からなるガイド基板を基板に強固に取り付け固定することができる。
【発明を実施するための最良の形態】
【００１２】
以下、本発明に係る基板における一次側の電源回路部への水分侵入防止構造の実施の形態について、図を参照しつつ説明する。
【００１３】
図１は本発明の第１実施形態の基板における一次側の電源回路部への水分侵入防止構造が備えられた液晶テレビジョンの裏面図、図２（ａ）は図１の基板の正面図、（ｂ）は基板に割り基板からなるガイド基板が取り付けられた状態を示す部分平面図、（ｃ）は割り基板からなるガイド基板の平面図である。
【００１４】
この第１実施形態の基板における一次側の電源回路部への水分侵入防止構造は、図１に示すように、液晶テレビジョン１のフロントパネル２とリヤパネル３内に基板４が縦向きに配置され、基板４には、図２（ａ）に示すように、下側の一次側の電源回路部５と上側の二次側の制御回路部６が設けられ、これら一次側の電源回路部５と二次側の制御回路部６間に、左右２枚の割り基板からなるガイド基板７、７が、それぞれ斜め下向きに取り付けられている。これら左右２枚の割り基板からなるガイド基板７、７は、図２（ｃ）に示すように、一端に突片７ａが設けられてこの突片７ａの先端に係止爪７ｂが形成されている。そして、図２（ｂ）に示すように、基板４に近接して形成された孔部４ａ、４ａに割り基板からなるガイド基板７、７の突片７ａ、７ａの係止爪７ｂ、７ｂが係入され、割り基板からなるガイド基板７、７と基板４が接する部分は、それぞれ半田８によって固定されている。
【００１５】
従って、この第１実施形態によれば、基板４に設けられた一次側の電源回路部５と二次側の制御回路部６間に互いに一端側が互いに近接する左右２枚の割り基板からなるガイド基板７、７が、それぞれ斜め下向きに取り付けられているから、水掛試験時等に大量の水分がこれらの割り基板からなるガイド基板７、７に沿って基板４の外側に流れ出ることにより、一次側の電源回路部５に水分が浸入することを防ぐことができる。更に、割り基板からなるガイド基板７、７を用いているので、別パーツを作る必要がなくてコストダウンを図ることができる。
【００１６】
また、割り基板からなるガイド基板７、７は、一端に突片７ａ、７ａが設けられてこの突片７ａ、７ａの先端に係止爪７ｂが形成されていて、基板４に形成された孔部４ａ、４ａに割り基板からなるガイド基板７、７の突片７ａ、７ａの係止爪７ｂ、７ｂが係入され、割り基板からなるガイド基板７、７と基板４とが接触する部分は半田８で固定されているから、基板４に割り基板からなるガイド基板７、７を強固に取り付け固定することができる。
【００１７】
図３（ａ）は第２実施形態の基板における一次側の電源回路部への水分侵入防止構造における基板に割り基板からなるガイド基板が取り付けられた状態を示す部分平面図、（ｂ）は割り基板からなるガイド基板の平面図である。
【００１８】
この第２実施形態の基板における一次側の電源回路部への水分侵入防止構造は、図３（ｂ）に示すように、その割り基板からなるガイド基板７Ａ、７Ａの両端に、突片７ｃ、７ｃが設けられてこの突片７ｃ、７ｃの先端に係止爪７ｄ、７ｄが形成されている。図３（ａ）に示すように、基板４に形成された孔部４ａ、４ｂに割り基板からなるガイド基板７Ａ、７Ａの両端の突片７ｃ、７ｃの係止爪７ｄ、７ｄが係入されることにより、基板４に２枚の割り基板からなるガイド基板７Ａ、７Ａが取り付け固定されるようになっている。
【００１９】
従って、この第２実施形態によれば、割り基板からなるガイド基板７Ａ、７Ａにおける両端の突片７ｃ、７ｃの先端の係止爪７ｄ、７ｄが、基板４に形成された孔部４ａ、４ｂに係入されることにより、基板４に２枚の割り基板からなるガイド基板７Ａ、７Ａが取り付け固定されているから、割り基板からなるガイド基板７Ａ、７Ａを基板に半田付けする必要がなく、半田付けする手間を省くことができ、取り付け作業を簡単に行うことができる。また、割り基板からなるガイド基板７Ａ、７Ａの両端の突片７ｃ、７ｃの係止爪７ｄ、７ｄを基板４の孔部４ａ、４ｂに係入するだけでよいので、取り付け作業をより一層簡単に行うことができると共に割り基板からなるガイド基板７Ａ、７Ａを基板４に強固に取り付け固定することができる。
【図面の簡単な説明】
【００２０】
【図１】本発明の第１実施形態の基板における一次側の電源回路部への水分侵入防止構造が備えられた液晶テレビジョンの裏面図である。
【図２】図１の基板の正面図、（ｂ）は基板に割り基板からなるガイド基板が取り付けられた状態を示す部分平面図、（ｃ）は割り基板からなるガイド基板の平面図である。
【図３】（ａ）は第２実施形態の基板における一次側の電源回路部への水分侵入防止構造における基板に割り基板からなるガイド基板が取り付けられた状態を示す部分平面図、（ｂ）は割り基板からなるガイド基板の平面図である。
【図４】従来の液晶テレビジョンの裏面図である。
【図５】従来のプリント基板の試験用パターンを示す説明図である。
【符号の説明】
【００２１】
１        液晶テレビジョン
２        フロントパネル
３        リヤパネル
４        基板
４ａ      孔部
４ｂ      孔部
５        一次側の電源回路部
６        二次側の制御回路部
７        割り基板からなるガイド基板
７Ａ      割り基板からなるガイド基板
７ａ      突片
７ｂ      係止爪
７ｃ      突片
７ｄ      係止爪
８        半田
【図１】
2009135639.tif 000003
【図２】
2009135639.tif 000004
【図３】
2009135639.tif 000005
【図４】
2009135639.tif 000006
【図５】
2009135639.tif 000007